【手続補正書】
【提出日】平成29年1月16日(2017.1.16)
【手続補正１】
【補正対象書類名】特許請求の範囲
【補正対象項目名】全文
【補正方法】変更
【補正の内容】
【特許請求の範囲】
【請求項１】
シートが通過するシート搬送路と、
前記シート搬送路を通過するシートの振動による振動放射音を吸音する吸音手段と、を備え、
前記吸音手段は、
前記シート搬送路を構成し、搬送されるシートを案内すると共に、複数の孔が形成されたガイド部材と、
前記ガイド部材のシートと当接する側と反対側に配置され、前記複数の孔とそれぞれ連通する複数の空間を有するベース部材と、を備えることを特徴とするシート搬送装置。
【請求項２】
前記ガイド部材のシートと当接する側に、シート搬送方向に沿って延びる複数のリブが突設され、前記複数の孔が、前記リブの間に配置されることを特徴とする請求項１に記載のシート搬送装置。
【請求項３】
前記ガイド部材のシートと当接する側の側面に対する前記リブの高さが、シート搬送方向上流側よりもシート搬送方向下流側の方が大きくなるように、前記側面がシート搬送方向に対して傾斜していることを特徴とする請求項２に記載のシート搬送装置。
【請求項４】
前記ガイド部材に配置された第１のローラと、
前記ガイド部材に配置され、シート搬送方向において前記第１のローラの下流に配置された第２のローラと、を備え、
前記複数の孔がシート搬送方向において前記第１のローラと前記第２のローラとの間に配置されることを特徴とする請求項１乃至３のいずれか１項に記載のシート搬送装置。
【請求項５】
シート搬送方向から視て、前記複数の孔が、シート搬送方向に直交する幅方向に関して前記第１のローラ及び前記第２のローラと重なる領域に配置され、幅方向における前記第１のローラ及び前記第２のローラの外側の領域には配置されていないことを特徴とする請求項４に記載のシート搬送装置。
【請求項６】
前記複数の孔の形状を、シート搬送方向上流側よりもシート搬送方向下流側の方がシート搬送方向と直交する幅方向の距離が短くなるような長穴形状としたことを特徴とする請求項１乃至５のいずれか１項に記載のシート搬送装置。
【請求項７】
前記複数の孔の前記複数の空間に対する開口面積を変更するよう前記ガイド部材及び前記ベース部材の少なくとも一方を移動可能とすることを特徴とする請求項１乃至６のいずれか１項に記載のシート搬送装置。
【請求項８】
シートが通過するシート搬送路と、
前記シート搬送路を通過するシートの振動による振動放射音を吸音する吸音手段と、を備え、
前記吸音手段は、
前記シート搬送路を構成し、搬送されるシートを案内すると共に、複数の孔が形成されたガイド部材と、
前記ガイド部材のシートと当接する側と反対側に配置され、前記複数の孔とそれぞれ連通する複数の空間を有し、前記複数の孔の前記複数の空間に対する開口面積と、前記複数の孔に連通した状態にある前記複数の空間の体積との少なくとも一方を変更するよう前記ガイド部材に沿って移動可能な変更手段と、を有することを特徴とするシート搬送装置。
【請求項９】
装置本体に対して開閉自在であり、前記ガイド部材が隙間を設けて内壁面に取り付けられ、前記装置本体から開いた状態で前記シート搬送路が開放されるように構成されたカバー部材を備え、
前記カバー部材及び前記ガイド部材の間の隙間に前記変更手段が移動可能に配置され、前記カバー部材により前記複数の空間が塞がれることを特徴とする請求項８に記載のシート搬送装置。
【請求項１０】
前記変更手段は、前記複数の空間を有し、前記ガイド部材に沿って移動可能な第１の変更部材と、前記第１の変更部材の前記ガイド部材と反対側に配置され、前記第１の変更部材の前記複数の空間と連通する複数の空間を有し、前記第１の変更部材に沿って移動可能な第２の変更部材と、を備え、
前記第１の変更部材及び前記第２の変更部材の少なくとも一方が移動可能であり、前記第１の変更部材及び前記第２の変更部材の相対移動によって、前記複数の孔に連通した状態にある空間の総体積を変更可能であることを特徴とする請求項８又は９に記載のシート搬送装置。
【請求項１１】
前記ガイド部材のシートと当接する側に、シート搬送方向に沿って延びる複数のリブが突設され、前記複数の孔が、前記リブの間に配置されることを特徴とする請求項８乃至１０のいずれか１項に記載のシート搬送装置。
【請求項１２】
前記ガイド部材のシートと当接する側の側面に対する前記リブの高さが、シート搬送方向上流側よりもシート搬送方向下流側の方が大きくなるよう前記側面がシート搬送方向に対して傾斜していることを特徴とする請求項１１に記載のシート搬送装置。
【請求項１３】
前記複数の孔の形状を、シート搬送方向上流側よりもシート搬送方向下流側の方がシート搬送方向と直交する幅方向の距離が短くなるような長穴形状としたことを特徴とする請求項８乃至１２のいずれか１項に記載のシート搬送装置。
【請求項１４】
画像形成部と、前記画像形成部にシートを搬送する請求項１乃至１３のいずれか１項に記載のシート搬送装置と、を備えたことを特徴とする画像形成装置。
【請求項１５】
画像読取部と、前記画像読取部にシートを搬送する請求項１乃至１３のいずれか１項に記載のシート搬送装置と、を備えたことを特徴とする画像読取装置。
【手続補正２】
【補正対象書類名】明細書
【補正対象項目名】０００５
【補正方法】変更
【補正の内容】
【０００５】
ここで、上記文献に記載の画像形成装置では、外装カバーをヘルムホルツ吸音管とする一方で、外装カバーによって覆われる作像部の内部でシートが搬送される構成となっていた。しかし、この構成では、シートの搬送に伴ってシート搬送路で発生する振動放射音を十分に低減できないという課題があった。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
そこで、本発明は、このような現状に鑑みてなされたものであり、シート搬送路を搬送されるシートの振動放射音を低減することのできるシート搬送装置、画像読取装置及び画像形成装置を提供することを目的とするものである。
【手続補正５】
【補正対象書類名】明細書
【補正対象項目名】０００８
【補正方法】変更
【補正の内容】
【０００８】
本発明は、シート搬送装置において、シートが通過するシート搬送路と、前記シート搬送路を通過するシートの振動による振動放射音を吸音する吸音手段と、を備え、前記吸音手段は、前記シート搬送路を構成し、搬送されるシートを案内すると共に、複数の孔が形成されたガイド部材と、前記ガイド部材のシートと当接する側と反対側に配置され、前記複数の孔とそれぞれ連通する複数の空間を有するベース部材と、を備えることを特徴とするものである。
【手続補正６】
【補正対象書類名】明細書
【補正対象項目名】０００９
【補正方法】変更
【補正の内容】
【０００９】
また本発明は、シート搬送装置において、シートが通過するシート搬送路と、前記シート搬送路を通過するシートの振動による振動放射音を吸音する吸音手段と、を備え、前記吸音手段は、前記シート搬送路を構成し、搬送されるシートを案内すると共に、複数の孔が形成されたガイド部材と、前記ガイド部材のシートと当接する側と反対側に配置され、前記複数の孔とそれぞれ連通する複数の空間を有し、前記複数の孔の前記複数の空間に対する開口面積と、前記複数の孔に連通した状態にある前記複数の空間の体積との少なくとも一方を変更するよう前記ガイド部材に沿って移動可能な変更手段と、を有することを特徴とするものである。
【手続補正７】
【補正対象書類名】明細書
【補正対象項目名】００１０
【補正方法】変更
【補正の内容】
【００１０】
本発明のように、ガイド部材に複数の孔を設けて吸音手段とすることにより、シート搬送路を搬送されるシートの振動放射音を効果的に低減することができる。